(57)【要約】【課題】戸体の傾きに伴う見栄えの低下を防止するための新規な開口部装置の構成を提案する。【解決手段】建物開口部に装着可能にパネル材２１を有してなる引戸式の戸体２を有する開口部装置であって、上レール４と、戸体２の下部を案内するための下レール５と、の二つのレール材にてから戸体２を案内するための戸体用レールが構成され、戸体２は、戸当たり側に、戸体２の戸当たり側に対向する建物開口部の見込面部７６ａに戸体２を見込面部７６ａとは反対側に移動させないように接触する弾性部材（戸当り側パッキン材６０）を有する、こととする。【選択図】図１
2014169528.tif 000002
【特許請求の範囲】
【請求項１】
建物開口部に装着可能にパネル材を有してなる引戸式の戸体を有する開口部装置であって、
上レールと、戸体の下部を案内するための下レールと、の二つのレール材にてから前記戸体を案内するための戸体用レールが構成され、
前記戸体は、戸当たり側に、前記戸体の戸当たり側に対向する建物開口部の見込面部に前記戸体を前記見込面部とは反対側に移動させないように接触する弾性部材を有する、開口部装置。
【請求項２】
前記戸体は、前記パネル材と、前記パネル材の上辺部に付設される上エッジ材とを有し、
前記上レールは、前記上エッジ材を案内するための下方が開放されるガイド溝部有し、
前記上レールは、前記上レールの室内側から垂下される見付け面部を備えており、
上エッジ材は、前記見付け面部の投影面内に配置される、
ことを特徴とする請求項１に記載の開口部装置。
【請求項３】
戸当り側の前記弾性部材は、前記戸体の戸当り側に沿って設けられる板状のパッキン材の一端を支持したもので構成される、
ことを特徴とする請求項１又は請求項２に記載の開口部装置。
【請求項４】
前記内戸は、少なくとも二枚の戸体を有する引き違いの形態であり、各戸体の召合せ側には、召合せ側パッキン材が備えられており、
前記召合せ側パッキン材は、Ｊ字状の断面を有し、そのＪ字の一端が前記戸体の見付面部側から突出され、他端が前記戸体の見付面部側との間で隙間を有して配設される、
ことを特徴とする請求項１乃至請求項３のいずれか一項に記載の開口部装置。
【発明の詳細な説明】
【技術分野】
【０００１】
本発明は、建物の開口部に設けられるサッシ（窓）の室内側に設けられる開口部装置に関する。
【背景技術】
【０００２】
従来、例えば、特許文献１に開示されるように、サッシや戸窓などの断熱効果を目的として、室内側に追加的に開口部装置としての内戸（引き戸）を設ける構成が知られている。
【０００３】
この種の開口部装置では、サッシの窓枠に対し、戸体用レール（敷居レール）を設置し、戸体用レールに戸体を立て込む構造が採用されている。戸体用レールは、横方向に付設される上レール、下レール、及び、縦方向に付設される二本の縦レールを用いることにより、四方枠組み構造をなすように構成される。
【先行技術文献】
【特許文献】
【０００４】
【特許文献１】特開平１１−３２４５２６号公報
【発明の概要】
【発明が解決しようとする課題】
【０００５】
しかしながら、特許文献１に開示されるような内戸の場合、戸体が傾いて設置されてしまうと、施工後における見栄えが悪くなってしまうことが懸念される。
【０００６】
具体的には、例えば、上レールに対し、戸体の上部のラインが傾いていることが内観視で現れてしまうと、戸体の傾きがより目立ってしまう。
【０００７】
そこで、本発明は、以上の問題点に鑑み、戸体の傾きに伴う見栄えの低下を防止するための新規な開口部装置の構成を提案するものである。
【０００８】
また、特許文献１に開示されるような四方枠組み構造の戸体用レールを設置する構成では、戸体を閉じる際に、縦方向に付設される縦レールの縦溝に対し、戸体の戸当り側が進入することになる。
【０００９】
このため、戸体が撓んで変形したり、傾いたりした状況が生じると、縦レールの縦溝に戸体の戸当り側がスムーズに進入することができず、操作性が悪化することが懸念される。
【００１０】
そこで、本発明は、以上の問題点に鑑み、新規な構成の開口部装置を提案するものである。
【００１１】
さらに、四方枠組み構造の戸体用レールは、上レール、下レール、及び、二本の縦レールといった合計４本のレール材を用いる構成ではコストが嵩み、また、各レールの窓枠への設置、レールの端部同士の付合せや仕上げ、角度調整など、施工の手間を多く要するものであった。
【００１２】
そこで、本発明の別の課題として、縦レールの設置を必要としない新規な構成の開口部装置を提案するものである。
【課題を解決するための手段】
【００１３】
本発明の解決しようとする課題は以上の如くであり、次にこの課題を解決するための手段を説明する。
【００１４】
即ち、請求項１に記載のごとく、建物開口部に装着可能にパネル材を有してなる引戸式の戸体を有する開口部装置であって、
上レールと、戸体の下部を案内するための下レールと、の二つのレール材にてから前記戸体を案内するための戸体用レールが構成され、
前記戸体は、戸当たり側に、前記戸体の戸当たり側に対向する建物開口部の見込面部に前記戸体を前記見込面部とは反対側に移動させないように接触する弾性部材を有する、開口部装置とする。
【００１５】
また、請求項２に記載のごとく、戸体は、パネル材と、パネル材の上辺部に付設される上エッジ材とを有し、
上レールは、上エッジ材を案内するための下方が開放されるガイド溝部を有し、
上レールの室内側から垂下される見付け面部を備えており、
上エッジ材は、見付け面部の投影面内に配置される、こととする。
【００１６】
また、請求項３に記載のごとく、戸当り側の弾性部材は、戸体の戸当り側に沿って設けられる板状のパッキン材の一端を支持したもので構成される。
【００１７】
また、請求項４に記載のごとく、開口部装置は、少なくとも二枚の戸体を有する引き違いの形態であり、各戸体の召合せ側には、召合せ側パッキン材が備えられており、召合せ側パッキン材は、Ｊ字状の断面を有し、そのＪ字の一端が戸体の見付面部側から突出され、他端が戸体の見付面部側との間で隙間を有して配設される、こととする。
【発明の効果】
【００１８】
本発明の効果として、以下に示すような効果を奏する。
【００１９】
即ち、請求項１に記載の発明においては、四方枠組み構造の戸体用レールを構成する必要がなくなる、つまりは、従来の縦レールを不要な構成とすることができ、縦レールが存在することによるコスト、施工手間、さらには、縦レールの縦溝に戸体の戸当り側がスムーズに進入できないことに伴う操作性の悪化といった不具合の発生を防止できる。
【００２０】
また、請求項２に記載の発明においては、上エッジ材がガイド溝部内に隠されることになり、上エッジ材とパネル材の境界線が見えなくなることから、戸体が傾いて設置される状況においても、その傾きが境界線によって目立ってしまうことがなく、戸体の傾きに伴う見栄えの低下を防止することが可能となる。
【００２１】
また、請求項３に記載の発明においては、確実に戸体と見込面部の間の隙間を塞ぐことができる。また、戸体が傾いて施工される場合や、見込面部が傾いてしまっている場合においても、弾性部材が適宜変形することにより、隙間を塞ぐことができる。
【００２２】
また、請求項４に記載の発明においては、召合せ箇所における戸体の間の隙間が閉じられ、断熱性が確保されるようになっている。また、召合せ側パッキン材がいわゆる方持ち形状となり、他端が開放される自由端部として構成され、召合せ側パッキン材がしなやかに（容易に）変形することができる。また、召合せ側パッキン材同士が当着した際に、変形によって生じる弾性反力（反発力）を小さくすることができ、戸体を少ない荷重で閉め切ることが可能となる。また、戸体を閉め切った後においても、召合せ側パッキン材が弾性復帰する力（反発力）が弱いことから、戸体が召合せ側パッキン材に押されて移動してしまうことが抑制され、隙間の発生を防止することが可能となる。
【図面の簡単な説明】
【００２３】
【図１】開口部装置を構成する部材について説明する斜視図。
【図２】開口部装置が設置される部位の縦断面図。
【図３】開口部装置が設置される部位の水平断面図。
【図４】上レール、下レールの部位について説明する縦断面図。
【図５】（Ａ）は戸当り側エッジ材、及び、戸当り側パッキン材の構成について示す水平断面図。（Ｂ）は戸体を閉じた際の戸当り側の状態について示す水平断面図。
【図６】（Ａ）は召合せ側エッジ材、及び、召合せ側パッキン材の構成について示す水平断面図。（Ｂ）は戸体を閉じた際の召合せ側の状態について示す水平断面図。
【図７】戸当り側エッジ材の上部の部位について示す斜視図。
【図８】（Ａ）戸体が傾いた状況について示す図。（Ｂ）は窓枠が横方向に傾いている場合について示す図。（Ｃ）は窓枠が鼓状に変形している場合について示す図。（Ｄ）はは窓枠が太鼓状に変形している場合について示す図。
【図９】（Ａ）は戸当り側コーナーブロックについて示す斜視図。（Ｂ）は戸当り側コーナーブロックについて示す斜視図。（Ｃ）は戸当り側コーナーブロックについて示す斜視図。（Ｄ）は戸当り側コーナーブロックに付設される調整部材ついて示す斜視図。
【図１０】（Ａ）は召合せ側コーナーブロックについて示す斜視図。（Ｂ）は召合せ側コーナーブロックについて示す斜視図。（Ｃ）は召合せ側コーナーブロックについて示す斜視図。（Ｄ）は召合せ側コーナーブロックに付設される調整部材ついて示す斜視図。
【図１１】（Ａ）は各部材の切り詰め（サイズ調整）について示す図。（Ｂ）は戸体の組立について説明する図。（Ｃ）は戸体の組立について説明する図。（Ｄ）は戸体の組立について説明する図。
【発明を実施するための形態】
【００２４】
以下、本発明の実施形態を図面に基づいて説明する。
図１は、建物開口部に設置される開口部装置として、例えば、内戸１を構成する部材について説明する斜視図である。本実施形態の内戸１は、引き違いの引戸を構成する戸体２，３と、戸体２，３をガイドするための上レール４、下レール５を有して構成される。
【００２５】
上レール４には、サッシ７０の室内側に設けられる上窓額縁７４の下面（建物開口部の室内側下面）に取付けられる。下レール５は、サッシ７０の室内側に設けられる下窓額縁７５の上面（建物開口部の室内側上面）に取付けられる。上レール４には、下方向に開口するガイド溝部４５，４６が形成される。下レール５には、上方向に突出するガイド突条部５２が形成される。
【００２６】
そして、上レール４のガイド溝部４５，４６と下レール５のガイド突条部５２の間に、戸体２，３を建て込むことによって、サッシ７０の室内側に内戸１を設置することができる。このように、内戸１を設置することにより、サッシ７０が設置される建物開口部における室内外空間の断熱性が向上し、暖房・冷房効率の向上によって省エネルギー対策を講じることが可能となる。
【００２７】
図２は内戸１が設置される部位の縦断面図、図３は内戸１が設置される部位の水平断面図である。この図２及び図３に示すごとく、建物開口部８０には、サッシ７０が設置され、このサッシ７０の室内側に内戸１が設置される。
【００２８】
サッシ７０は、それぞれガラス７１ａ，７２ａを有してなる二枚の障子７１，７２と、障子７１，７２を引き違い可能に配設するサッシ枠７３を有して構成される。
【００２９】
サッシ枠７３の室内側には、窓枠を構成する上窓額縁７４、下窓額縁７５、及び、縦窓額縁７６，７７が配設されている。上窓額縁７４と下窓額縁７５は、上下方向に離間して対向して配置され、縦窓額縁７６，７７は、左右方向に離間して対抗して配置される。これら上窓額縁７４、下窓額縁７５、縦窓額縁７６，７７は、端部において接合されることで、四方枠組み構造の窓額縁（建物開口部）が構成される。
【００３０】
図４に示すごとく、上窓額縁７４の下面７４ａには、上レール４が取付けられる。上レール４は、上窓額縁７４の下面７４ａに対する取付面部４１と、取付面部４１の室内側、室外側においてそれぞれ垂下される見付面部４２，４３と、見付面部４２，４３の間において取付面部４１から垂下される中壁部４４と、を有して構成される。
【００３１】
上レール４は長尺の部材であって、その素材としては、例えば、樹脂、アルミ、木材などが考えられ、特に限定されるものではない。また、施工現場にて所望の長さに切り詰め（カット）して長さ調整されることが想定される場合には、カッターなどで容易に切断できる樹脂にて上レール４を構成することが好ましい実施形態となる。なお、図１に示すように、上レール４に端部ピース４７を取り付ける構成とし、長さ調整にて短くしすぎてしまった際に、端部ピース４７にて上レール４と縦窓額縁７６に生じる隙間を埋める構成としてもよい。
【００３２】
図４に示すごとく、取付面部４１は、上窓額縁７４の下面７４ａに対し固定されるものであり、その固定方法としては、粘着テープ、接着剤、ビスなどにより固定することが考えられ、特に限定されるものではない。
【００３３】
見付面部４２，４３と、中壁部４４の間には、それぞれガイド溝部４５，４６が形成され、ガイド溝部４５，４６内にそれぞれ戸体２，３の上部が挿入されるようになっている。
【００３４】
図４に示すごとく、下窓額縁７５の上面７５ａには、下レール５が取付けられる。本実施形態では、同一構造の二本の下レール５，５を設置する構成としており、各下レール５は、下窓額縁７５の上面７５ａに対する取付面部５１と、取付面部５１の室内外方向の中央部において上方に突設されるガイド突条部５２と、を有して構成される。
【００３５】
下レール５は長尺の部材であって、その素材としては、例えば、樹脂、アルミ、木材などが考えられ、特に限定されるものではない。また、施工現場にて所望の長さに切り詰め（カット）して長さ調整されることが想定される場合には、カッターなどで容易に切断できる樹脂にて下レール５を構成することが好ましい実施形態となる。
【００３６】
取付面部５１は、下窓額縁７５の上面７５ａに対し固定されるものであり、その固定方法としては、粘着テープ、接着剤、ビスなどにより固定することが考えられ、特に限定されるものではない。
【００３７】
本実施形態では、二本の下レール５を並設することで、戸体２，３の下部をそれぞれガイドするための二列のガイド突条部５２，５２が配置される構成としている。また、二本の下レール５を突き合わるように設置することで二列のガイド突条部５２，５２の間の幅（レール間隔）が規定の値に設定することができるようになっている。このほか、一本の下レールに二列のガイド突条部が構成されるものであってもよい。
【００３８】
図１に示すごとく、戸体２は、パネル材２１と、パネル材２１の周囲を囲むように設けられる上エッジ材２４、下エッジ材２５、戸当り側エッジ材２６、召合せ側エッジ材２７と、パネル材２１の下側角部に設けられる戸当り側コーナーブロック２８、召合せ側コーナーブロック２９と、を有して構成される。なお、戸体３についても、戸体２と同様の部材を有して構成されるものであり、説明を省略する。
【００３９】
戸体２のパネル材２１は、例えば、発泡樹脂などの中空層を有する構造を持つ合成樹脂にて構成される板材に、化粧シートを貼付することで構成することができる。
【００４０】
板材としては、高い断熱効果を発揮する素材が用いられることが好ましい。また、施工現場での切り詰め（カット）によるサイズ調整が想定される場合には、カッターなどで容易に切断できる素材にて板材を構成することが好ましい実施形態となる。また、入手のし易さなどから、内装壁下地材として用いられる断熱性の高い市販の板材を用いることなどが考えられる。
【００４１】
化粧シートとしては、特に限定されるものではなく、意匠性を確保するために適宜選定されるものである。また、施工現場での切り詰め（カット）によるサイズ調整が想定される場合には、カッターなどで容易に切断できる素材にて板材を構成することが好ましい実施形態となる。
【００４２】
図１及び図４に示すごとく、上エッジ材２４は、戸体２のパネル材２１の上辺部２１ａが嵌入される凹溝２４ａを有する断面略コ字状の長尺部材である。凹溝２４ａは、見込面部２４ｂ、見付面部２４ｃ，２４ｄにより囲まれるように構成される。なお、見込面部２４ｂのパネル材２１側の表面は、凹凸形状（例えばギザギザの鋸刃状の断面形状）とすることで、接着剤が留まり易く、パネル材２１との接着面積の増加による接着性の向上を図ることができる。
【００４３】
この上エッジ材２４は、上レール４のガイド溝部４５に挿入されることで、スライドする戸体２の上部がガイド溝部４５（上レール４）によってガイドされる。
【００４４】
図１及び図４に示すごとく、下エッジ材２５は、戸体２のパネル材２１の下辺部２１ｂが嵌入される凹溝２５ａを有する断面略コ字状の長尺部材である。凹溝２５ａは、見込面部２５ｂ、見付面部２５ｃ，２５ｄにより囲まれるように構成される。なお、見込面部２５ｂのパネル材２１側の表面は、凹凸形状（例えばギザギザの鋸刃状の断面形状）とすることで、接着剤が留まり易く、パネル材２１との接着面積の増加による接着性の向上を図ることができる。
【００４５】
また、見付面部２５ｃ，２５ｄは、見込面部２５ｂよりも下方に延設され、凹溝２５ａと反対側に被ガイド用凹溝２５ｅが形成される。
【００４６】
この下エッジ材２５の被ガイド用凹溝２５ｅに下レール５のガイド突条部５２が挿入されることで、スライドする戸体２の下部がガイド突条部５２（下レール５）によってガイドされる。
【００４７】
図１及び図５（Ａ）に示すごとく、戸当り側エッジ材２６は、戸体２のパネル材２１の縦辺部２１ｃが嵌入される凹溝２６ａを有する断面略コ字状の長尺部材である。凹溝２６ａは、見込面部２６ｂ、見付面部２６ｃ，２６ｄにより囲まれるように構成される。なお、見込面部２６ｂのパネル材２１側の表面は、凹凸形状（例えばギザギザの鋸刃状の断面形状）とすることで、接着剤が留まり易く、パネル材２１との接着面積の増加による接着性の向上を図ることができる。
【００４８】
また、見付面部２６ｃ，２６ｄは、見込面部２６ｂよりも側方に延設され、凹溝２６ａと反対側に凹溝状のパッキン材嵌着部２６ｅが形成される。パッキン材嵌着部２６ｅにおいて、見付面部２６ｃ，２６ｄの端部は、内側方向に屈曲されて係止部２６ｆ，２６ｇを構成しており、係止部２６ｆ，２６ｇに引っ掛けるようにしてパッキン材嵌着部２６ｅに対して戸当り側パッキン材６０が嵌着される。
【００４９】
さらに、図５（Ａ）及び図７に示すごとく、戸当り側エッジ材２６の見付面部２６ｃには、戸当り側エッジ材２６の長手方向に伸びる突条にて構成される手掛け部２６ｈが設けられている。
【００５０】
また、図１及び図６（Ａ）に示すごとく、召合せ側エッジ材２７は、戸体２のパネル材２１の縦辺部２１ｄが嵌入される凹溝２７ａを有する断面略コ字状の長尺部材である。召合せ側エッジ材２７は、見込面部２７ｂと、見付面部２７ｃ，２７ｄと、見付面部２７ｃ，２７ｄの間に架橋される当接面部２７ｅとを有し、見付面部２７ｃ，２７ｄと当接面部２７ｅによって囲まれるようにして凹溝２７ａが形成される。当接面部２７ｅには、パネル材２１の縦辺部２１ｄが当接される。なお、見込面部２７ｂのパネル材２１側の表面は、凹凸形状（例えばギザギザの鋸刃状の断面形状）とすることで、接着剤が留まり易く、パネル材２１との接着面積の増加による接着性の向上を図ることができる。
【００５１】
以上に説明した上エッジ材２４、下エッジ材２５、戸当り側エッジ材２６、召合せ側エッジ材２７の素材としては、例えば、樹脂、アルミ、木材などが考えられ、特に限定されるものではない。また、施工現場にて所望の長さに切り詰め（カット）して長さ調整されることが想定される場合には、カッターなどで容易に切断できる樹脂にて構成することが好ましい実施形態となる。
【００５２】
図１及び図５（Ａ）に示すごとく、戸当り側パッキン材６０は、戸当り側エッジ材２６のパッキン材嵌着部２６ｅに嵌着させるための板状の嵌着部６１と、嵌着部６１より突出するヒレ片状の当着部６２と、を有して構成される。戸当り側パッキン材６０は、例えば、塩化ビニルなどの合成樹脂からなる長尺の成形品であって、弾性変形をなすものにて構成することができる。
【００５３】
図５（Ａ）に示すごとく、本実施形態の当着部６２は、嵌着部６１の見込方向Ｍの一側端部にて突設される基端部６２ａと、基端部６２ａから平面視において弧をなすように突設されるヒレ片部６２ｂを有して構成されており、図５（Ｂ）に示すごとく、戸体２が閉められた際には、このヒレ片部６２ｂが縦窓額縁７６の見込面部７６ａに接触するとともに、当着部６２の基端部６２ａを軸にヒレ片部６２ｂが嵌着部６１に近づくように撓む。
【００５４】
このようにして、ヒレ片部６２ｂを縦窓額縁７６の見込面部７６ａに当着させることで、戸当り側パッキン材６０にて戸体２と縦窓額縁７６の間の隙間を塞ぐことができる。
【００５５】
また、戸体２の傾きは施工現場によって異なることが想定されるが、本実施形態のように、ヒレ片部６２ｂを設けて一側に折らせることによって、傾きが小さい場合から大きい場合まで幅広く対応できることになる。例えば、図８（Ａ）に示すように戸体２が矢印Ｒ１方向に傾いて施工されており、縦窓額縁７６の上部において隙間が狭く、縦窓額縁７６の下部において隙間が広い状況が生じる場合であっても、いずれの隙間に対しても確実に塞ぐことが可能となる。このほか、図８（Ｂ）に示すように窓枠７８Ｂが横方向に傾いている場合、図８（Ｃ）に示すように窓枠７８Ｃが鼓状に変形している場合、図８（Ｄ）に示すように窓枠７８Ｄが太鼓状に変形している場合においても、それぞれ、戸当り側パッキン材６０によって縦窓額縁との間での隙間の発生を防ぐことが可能となる。
【００５６】
加えて、当着部６２の基端部６２ａに切欠き部６２ｃを形成し、この切欠き部６２ｃにおける肉厚を薄くすることで、より軽い荷重でヒレ片部６２ｂを屈曲させることができる。
【００５７】
これにより、ヒレ片部６２ｂに生じる弾性反力（反発力）を小さくすることができ、戸体２を少ない荷重で閉め切ることが可能となる。また、戸体２を閉め切った後においても、ヒレ片部６２ｂが弾性復帰する力（反発力）が弱いことから、戸体２がヒレ片部６２ｂに押されて移動してしまうことが抑制され、隙間の発生を防止することが可能となる。
【００５８】
図６（Ａ）に示すごとく、召合せ側エッジ材２７の一方の見付面部２７ｄには、見付面部２７ｄから見込方向Ｍに突出する召合せ側パッキン材９０が設けられている。
【００５９】
図６（Ｂ）に示すごとく、戸体２，３が閉められた際には、召合せ側エッジ材２７，２７が互いに対向するとともに、召合せ側パッキン材９０，９０の当着面９０ｄ，９０ｄ同士が当着することによって、召合せ側エッジ材２７，２７の間の隙間が閉じられ、断熱性が確保されるようになっている。
【００６０】
図６（Ａ）に示すごとく、本実施形態では、召合せ側パッキン材９０は召合せ側エッジ材２７と一体的に設けられ、召合せ側エッジ材２７の長手方向に伸びるように設けられている。
【００６１】
召合せ側エッジ材２７は、例えば、塩化ビニルなどの合成樹脂からなる長尺の成形品であって、弾性変形をなすものにて構成することができる。召合せ側エッジ材２７と召合せ側パッキン材９０を一体成形にて設ける場合には、召合せ側パッキン材９０の部位だけより硬度を低く（より軟質である）構成し、召合せ側パッキン材９０，９０同士が当着した際に、より柔軟に変形し、召合せ側エッジ材２７，２７の間の隙間を確実に閉じさせることなどが考えられる。なお、召合せ側パッキン材９０は、召合せ側エッジ材２７と別部材にて構成され、召合せ側エッジ材２７に取付けられるものであってもよい。
【００６２】
また、本実施形態の召合せ側パッキン材９０は、薄板を屈曲させてなり、平面視において略Ｊ字状をなす様に構成されている。即ち、平面視において、召合せ側パッキン材９０の一端９０ａが見付面部２７ｄに接続され、召合せ側パッキン材９０の他端９０ｂと見付面部２７ｄの間には隙間９０ｃが形成され、他端９０ｂが見付面部２７ｄに接触しないような構成としている。
【００６３】
以上の構成により、召合せ側パッキン材９０がいわゆる方持ち形状となり、他端９０ｂが開放される自由端部として構成され、召合せ側パッキン材９０がしなやかに（容易に）変形することができる。また、召合せ側パッキン材９０，９０同士が当着した際に、変形によって生じる弾性反力（反発力）を小さくすることができ、戸体２，３を少ない荷重で閉め切ることが可能となる。また、戸体２を閉め切った後においても、召合せ側パッキン材９０が弾性復帰する力（反発力）が弱いことから、戸体２，３が召合せ側パッキン材９０に押されて移動してしまうことが抑制され、隙間の発生を防止することが可能となる。
【００６４】
図７に示すごとく、戸当り側エッジ材２６の上端部２６ｍは、上レール４のガイド溝部４５に挿入される。また、上エッジ材２４の戸当り側の端部２４ｍは、上レール４のガイド溝部４５に挿入された戸当り側エッジ材２６の上端部２６ｍに接合されるようになっており、戸当り側エッジ材２６と上エッジ材２４の接合部において、いわゆる縦通しの接合がなされるようになっている。
【００６５】
さらに、図４及び図７に示すごとく、上エッジ材２４は、上レール４のガイド溝部４５内に納められることで、見付面部２４ｃによって上エッジ材２４が隠されるようになっている。
【００６６】
また、図７に示すごとく、戸当り側エッジ材２６の上端部２６ｍの部位の手掛け部２６ｈは、適宜切断する（カットする）ことによって除去され、これにより、戸当り側エッジ材２６の上端部２６ｍを上レール４のガイド溝部４５内に納めることが可能となる。
【００６７】
このように、手掛け部２６ｈの切断が想定されるため、例えば、戸当り側エッジ材２６に手掛け部２６ｈが塩化ビニルなどの樹脂成形品で構成される場合には、手掛け部２６ｈについてカッターなどによる切断を容易に行える軟質樹脂で構成し、その他の部位を硬質樹脂で構成することが好ましい。
【００６８】
図９（Ａ）〜（Ｃ）は、戸当り側コーナーブロック２８の構成について示すものであり、この戸当り側コーナーブロック２８に対して戸当り側エッジ材２６と、下エッジ材２５が接合される。この戸当り側コーナーブロック２８は、例えば、樹脂成形品にて構成することができる。
【００６９】
戸当り側コーナーブロック２８には、上方に突出する嵌入部２８ａが設けられ、この嵌入部２８ａを戸当り側エッジ材２６のパッキン材嵌着部２６ｅ（図５（Ａ））に嵌め込むことで、戸当り側コーナーブロック２８と戸当り側エッジ材２６の接合が行われる。戸当り側エッジ材２６の下端部は、戸当り側コーナーブロック２８の上面部２８ｂに突き合わせられることで、戸当り側コーナーブロック２８に対する戸当り側エッジ材２６の上下方向の位置決めが行われる。
【００７０】
また、戸当り側コーナーブロック２８には、一側側部、及び、上面が開放される溝部２８ｃが設けられ、この溝部２８ｃに下エッジ材２５を嵌め込むことで、下エッジ材２５と戸当り側エッジ材２６の接合が行われる。なお、この溝部２８ｃにはパネル材２１（図１参照）の角部も差し込まれる。
【００７１】
また、図９（ｂ）に示すごとく、戸当り側コーナーブロック２８には、溝部２８ｃの反対側において、一側側部、及び、上面が開放される溝部２８ｄが設けられ、この溝部２８ｄに戸当り側パッキン材６０の下端部が挿入されるようになっている。
【００７２】
図１０（Ａ）〜（Ｃ）は、召合せ側コーナーブロック２９の構成について示すものであり、この召合せ側コーナーブロック２９に対して召合せ側エッジ材２７と、下エッジ材２５が接合される。この召合せ側コーナーブロック２９は、例えば、樹脂成形品にて構成することができる。
【００７３】
召合せ側コーナーブロック２９には、上方に突出する嵌入部２９ａが設けられ、この嵌入部２９ａを召合せ側エッジ材２７の中空部２７ｆ（図６（Ａ））に嵌め込むことで、召合せ側コーナーブロック２９と召合せ側エッジ材２７の接合が行われる。召合せ側エッジ材２７の下端部は、召合せ側コーナーブロック２９の上面部２９ｂに突き合わせられることで、召合せ側コーナーブロック２９に対する召合せ側エッジ材２７の上下方向の位置決めが行われる。
【００７４】
また、召合せ側コーナーブロック２９には、一側側部、及び、上面が開放される溝部２９ｃが設けられ、この溝部２９ｃにパネル材２１（図１）を差し込むことで、パネル材２１が召合せ側コーナーブロック２９に接合される。下エッジ材２５は、パネル材２１（図１）に嵌着された状態で、召合せ側コーナーブロック２９の当接面２９ｅに当接させるようにして接合される。
【００７５】
図９（Ｃ）（Ｄ）に示すごとく、戸当り側コーナーブロック２８は、その底面２８ｆが図４に示されるガイド突条部５２の上を摺動することで、戸体の戸当り側を点で支えることになる。底面２８ｆには、ガイド突条部５２の側面にガイドされるための縦壁部２８ｍ，２８ｍが形成される。縦壁部２８ｍ，２８ｍは、ガイド突条部５２の長手方向における中央部において、ガイド突条部５２との距離が近くなるようなアール形状をなしており、パネル材２１に反りが生じている場合においても、ガイド突条部５２に対する戸当り側コーナーブロック２８の角度を柔軟に変更することができ、良好な走行性（摺動性）を確保できることとしている。
【００７６】
同様に、図１０（Ｃ）（Ｄ）に示すごとく、召合せ側コーナーブロック２９は、その底面２９ｆが図４に示されるガイド突条部５２の上を摺動することで、戸体の戸当り側を点で支えることになる。底面２９ｆには、ガイド突条部５２の側面にガイドされるための縦壁部２９ｍ，２９ｍが形成される。縦壁部２９ｍ，２９ｍは、ガイド突条部５２の長手方向における中央部において、ガイド突条部５２との距離が近くなるようなアール形状をなしており、パネル材２１に反りが生じている場合においても、ガイド突条部５２に対する召合せ側コーナーブロック２９の角度を柔軟に変更することができ、良好な走行性（摺動性）を確保できることとしている。
【００７７】
以上のような戸当り側コーナーブロック２８と召合せ側コーナーブロック２９により、図８（Ａ）に示すごとく、戸体２が戸当り側コーナーブロック２８と召合せ側コーナーブロック２９の二点で支えられ、下レール５に対する接触面積を小さくすることができ、戸体２を軽い力で開閉（スライド）させることが可能となる。
【００７８】
さらに、図９（Ｃ）（Ｄ）に示すごとく、戸当り側コーナーブロック２８の底面２８ｆには、高さ調節用ピース２８ｚが取付けられ、この高さ調節用ピース２８ｚによって戸当り側コーナーブロック２８の底面２８ｆの底上げを行うことで、図８（Ａ）に示すごとく、戸体２の戸当り側における下レール５に対する矢印Ｒ２方向への角度調整を任意に実施することができる。
【００７９】
本実施形態では、戸当り側コーナーブロック２８の底面２８ｆに嵌入穴２８ｈを設けるとともに、高さ調節用ピース２８ｚの板材２８ｘに嵌入突部２８ｙを設ける構成として、戸当り側コーナーブロック２８に対する高さ調節用ピース２８ｚの着脱を容易に行える構成としている。なお、この高さ調節用ピース２８ｚは、図４に示されるガイド突条部５２の上を摺動することとなる。
【００８０】
同様に、図１０（Ｃ）（Ｄ）に示すごとく、召合せ側コーナーブロック２９の底面２９ｆには、高さ調節用ピース２９ｚが取付けられ、この高さ調節用ピース２９ｚによって召合せ側コーナーブロック２９の底面２９ｆの底上げを行うことで、図８（Ａ）に示すごとく、戸体２の召合せ側における下レール５に対する矢印Ｒ１方向への角度調整を任意に実施することができる。
【００８１】
本実施形態では、召合せ側コーナーブロック２９の底面２９ｆに嵌入穴２９ｈを設けるとともに、高さ調節用ピース２９ｚの板材２９ｘに嵌入突部２９ｙを設ける構成として、召合せ側コーナーブロック２９に対する高さ調節用ピース２９ｚの着脱を容易に行える構成としている。なお、この高さ調節用ピース２９ｚは、図４に示されるガイド突条部５２の上を摺動することとなる。
【００８２】
以上のように、図８（Ａ）に示すごとく、戸体２が戸当り側コーナーブロック２８と召合せ側コーナーブロック２９の二点で支えられる構成において、戸体２の矢印Ｒ１，Ｒ２方向の傾きを調整することができ、意匠性を確保した綺麗な仕上がりが可能となる。また、この戸体２の角度調整により、戸体２と縦窓額縁７６との間の隙間の発生を防ぐことが可能となる。
【００８３】
以上の構成において、本発明ではさらに以下の構成において特徴を有する。
即ち、建物開口部に装着可能にパネル材２１を有してなる引戸式の戸体２を有する開口部装置としての内戸１であって、
上レール４と、戸体２の下部を案内するための下レール５と、の二つのレール材にてから戸体２を案内するための戸体用レールが構成され、
戸体２は、戸当たり側に、戸体２の戸当たり側に対向する建物開口部の見込面部７６ａに戸体２を見込面部７６ａとは反対側に移動させないように接触する弾性部材（戸当り側パッキン材６０）を有する、こととする。
【００８４】
これにより、四方枠組み構造の戸体用レールを構成する必要がなくなる、つまりは、従来の縦レールを不要な構成とすることができ、縦レールが存在することによるコスト、施工手間、さらには、縦レールの縦溝に戸体の戸当り側がスムーズに進入できないことに伴う操作性の悪化といった不具合の発生を防止できる。なお、「戸体２を見込面部７６ａとは反対側に移動させないように弾性的に接触する弾性部材」とは、弾性部材が見込面部７６ａに接触した場合において、弾性部材に生じる弾性反力（反発力）により戸体２が移動する状況を生じさせない弾性部材のことをいうものである。
【００８５】
また、戸体２は、パネル材２１と、パネル材２１の上辺部２１ａに付設される上エッジ材２４とを有し、
上レール４は、上エッジ材２４を案内するための下方が開放されるガイド溝部４５を有し、
上レール４の室内側から垂下される見付け面部４２を備えており、
上エッジ材２４は、見付け面部４２の投影面内に配置される、こととする。
例えば、ガイド溝部４５の深さ寸法Ｄ１は、上エッジ材２４の縦寸法Ｈ１よりも、大きく構成することにより、見付け面部４２の投影面、つまり、見付け面部４２の裏側の領域に上エッジ材２４を配置することができる。
【００８６】
これにより、上エッジ材２４がガイド溝部４５内に隠されることになり、上エッジ材２４とパネル材２１の境界線２１ｋが見えなくなることから、戸体２が傾いて設置される状況においても、その傾きが境界線２１ｋによって目立ってしまうことがなく、戸体２の傾きに伴う見栄えの低下を防止することが可能となる。
【００８７】
また、戸当り側の弾性部材は、戸体２の戸当り側に沿って設けられる板状のパッキン材の一端を支持したもので構成される。
例えば、戸体２の戸当り側には、ヒレ片状の当着部６２を有する長尺の戸当り側パッキン材６０が設けられる構成とする。
【００８８】
この構成では、ヒレ片状の当着部６２を内戸１が設置される部位（縦窓額縁７６）の見込面部７６ａに対して当着させることができ、確実に戸体２と見込面部７６ａの間の隙間を塞ぐことができる。また、戸体２が傾いて施工される場合や、見込面部７６ａが傾いてしまっている場合においても、当着部６２が適宜変形することにより、隙間を塞ぐことができる。さらに、ヒレ片状とすることにより、当着部６２に生じる弾性反力（反発力）を小さくすることができ、戸体２を少ない荷重で閉め切ることが可能となる。また、戸体２を閉め切った後においても、当着部６２が弾性復帰する力（反発力）が弱いことから、戸体２が当着部６２に押されて移動してしまうことが抑制され、隙間の発生を防止することが可能となる。
【００８９】
また、内戸１は、少なくとも二枚の戸体２，３を有する引き違いの形態であり、各戸体２，３の召合せ側には、召合せ側パッキン材９０，９０が備えられており、召合せ側パッキン材９０は、Ｊ字状の断面を有し、そのＪ字の一端が戸体２の見付面部２７ｄ側から突出され、他端が戸体２の見付面部２７ｄ側との間で隙間９０ｃを有して配設される、こととする。
【００９０】
これにより、召合せ箇所における戸体２，３の間の隙間が閉じられ、断熱性が確保されるようになっている。また、召合せ側パッキン材９０がいわゆる方持ち形状となり、他端９０ｂが開放される自由端部として構成され、召合せ側パッキン材９０がしなやかに（容易に）変形することができる。また、召合せ側パッキン材９０，９０同士が当着した際に、変形によって生じる弾性反力（反発力）を小さくすることができ、戸体２，３を少ない荷重で閉め切ることが可能となる。また、戸体２を閉め切った後においても、召合せ側パッキン材９０が弾性復帰する力（反発力）が弱いことから、戸体２，３が召合せ側パッキン材９０に押されて移動してしまうことが抑制され、隙間の発生を防止することが可能となる。
【００９１】
なお、本発明の内戸１の形態としては、上述したような引き違いの構成に限るものではなく、例えば、戸袋に引き込まれる一枚の戸体にて内戸を構成する場合や、３枚の戸体を並べて内戸を構成する場合においても、本発明の構成を適用することが可能である。
【００９２】
また、上述の実施形態のように、建物開口部に見付方向に沿って設けられる上レール４と、上レール４にガイドされる引戸式の戸体２と、を有する開口部装置としての内戸１であって、
戸体２は、矩形のパネル材２１と、パネル材２１の戸当り側の辺部（縦辺部２１ｃ）に取付ける長尺の戸当り側エッジ材２６とを有し、
戸当り側エッジ材２６の上端部２６ｍは、見付け面部４２の投影面内に配置される、こととする。
【００９３】
これにより、戸当り側エッジ材２６の上端部２６ｍの仕口をガイド溝部４５内に収めて隠すことができ、意匠性を確保した綺麗な仕上がりが実現できる。特に、施工に慣れていない施主により設置される場合には、綺麗な仕上がりを確実に実現できる点で、優れた効果となる。そして、仮に、施工現場において戸当り側エッジ材２６の長さが調整されることがあっても、戸当り側エッジ材２６の上端部２６ｍの仕口をガイド溝部４５内に収めて隠すことが可能となる。
【００９４】
また、図７に示すごとく、戸体２は、パネル材２１の上辺部２１ａに取付ける長尺の上エッジ材２４を有し、
上エッジ材２４は、戸当り側エッジ材２６の上端部２６ｍに付合せられ、戸当り側エッジ材２６と上エッジ材２４が縦通しに接合される、こととする。
【００９５】
これにより、仮に、施工現場において上エッジ材２４の長さが調整されることがあっても、上エッジ材２４の端部２４ｍの仕口を戸当り側エッジ材２６にて隠すことができ、意匠性を確保した綺麗な仕上がりが実現できる。
【００９６】
また、図７に示すごとく、戸当り側エッジ材２６の見付面部２６ｃには、戸当り側エッジ材２６の長手方向に伸びる突条にて構成される手掛け部２６ｈが設けられ、
手掛け部２６ｈは、戸当り側エッジ材２６を構成する部材よりも軟質樹脂にて構成される、こととする。
【００９７】
これにより、戸当り側エッジ材２６の長さ調整に伴い手掛け部２６ｈの長さ調整が必要となった際には、手掛け部２６ｈを適宜容易に切断することができる。
【００９８】
また、図９（Ａ），（Ｃ）、図１０（Ａ）、図１１（Ａ）乃至（Ｄ）に示すごとく、
パネル材２１の上辺部２１ａには長尺の上エッジ材２４が、パネル材２１の下辺部２１ｂには長尺の下エッジ材２５が、パネル材２１の戸当り側となる縦辺部２１ｃには戸当り側エッジ材２６が、パネル材２１の召合せ側となる縦辺部２１ｄには召合せ側エッジ材２７が、それぞれ取付けられ、パネル材２１の四方がエッジ材にて取り囲まれるものとし、
下エッジ材２５と戸当り側エッジ材２６の接合部には戸当り側コーナーブロック２８が配置され、
下エッジ材２５と召合せ側エッジ材２７の接合部には召合せ側コーナーブロック２９が配置され、
下エッジ材２５の他側端部は、戸当り側コーナーブロック２８に飲み込ませるように接続され、
下エッジ材２５の一側端部は、召合せ側コーナーブロック２９に突き合わせるように接続される、
こととしている。
【００９９】
以上のようにして、下エッジ材２５の他側端部を戸当り側コーナーブロック２８に飲み込ませることで、下エッジ材２５の仕口を綺麗に納めることができる。
【産業上の利用可能性】
【０１００】
本発明は、住宅などの建物の開口部の断熱性能を高めるための開口部装置として広く適用でき、例えば、戸体とレールのセットとしてキット販売するものにも適用できる。
【符号の説明】
【０１０１】
１    内戸
２    戸体
３    戸体
４    上レール
５    下レール
２１    パネル材
２４    上エッジ材
２５    下エッジ材
２６    戸当り側エッジ材
２７    召合せ側エッジ材
２８    戸当り側コーナーブロック
２９    召合せ側コーナーブロック
６０    戸当り側パッキン材
９０    召合せ側パッキン材
【図１】
2014169528.tif 000003
【図２】
2014169528.tif 000004
【図３】
2014169528.tif 000005
【図４】
2014169528.tif 000006
【図５】
2014169528.tif 000007
【図６】
2014169528.tif 000008
【図７】
2014169528.tif 000009
【図８】
2014169528.tif 000010
【図９】
2014169528.tif 000011
【図１０】
2014169528.tif 000012
【図１１】
2014169528.tif 000013